(57)【特許請求の範囲】
【請求項１】
合成樹脂製の収納ケースの内部壁面にヒンジ部を介して収納ケースと一体に設けられた板状の拘束片と、収納ケースに突出して設けられ、壁面に向けて伏せた拘束片を係止する係止突部とから成る収納ケースの拘束片構造において、
前記係止突部が収納ケースの周壁の内面に一体に突設された突部からなっており、
該突部の上部側端または伏せる際にこれと衝合する拘束片の上部側端の少なくともいずれか一方に、下方に向かい対向する拘束片または突部側へ漸次接近するよう傾斜または湾曲するガイド面を設け、
上記ガイド部の下部には、突部を乗り越えた拘束片を下向きに拘束する係合用の凹部が形成されてなることを特徴とする収納ケースの拘束片構造。
【請求項２】
係止突部が、収納ケースの蓋体周壁の内面に設けられている補強用のリブの上部にガイド面を形成し、下端部に切欠き状の凹部を設けて成ることを特徴とする請求項１に記載の収納ケースの拘束片構造。
【請求項３】
拘束片が収納ケースの開閉用のヒンジ部に接して基端を連設しており、上部側端が蓋体の周壁にほぼ接する位置まで延びており、他の部分の周壁側の端部は周壁から離反するように設定されてなることを特徴とする請求項１、又は２記載の収納ケースの拘束片構造。
【発明の詳細な説明】
【０００１】
【発明が属する技術分野】
本発明は、例えばビデオテープ、その他の任意の物品を収納する収納ケースの中に説明書やメモ用紙などを挟み込んで保持する拘束片構造に関する。
【０００２】
【従来の技術】
収納ケースの拘束片構造として、本出願人は既に実開平７一３５０７６号公報に開示されたものを提案し相応の成果を挙げている。
この実開平７一３５０７６号公報に記載された拘束片構造は、図５に示すように、合成樹脂製の収納ケース２１の内部壁面２２にヒンジ部２３を介して収納ケース２１と一体に設けられた拘束片２４と、内部壁面２２の中程に突出して断面逆Ｌ字状に内部壁面２２に一体に設けられ拘束片２４を係止する係止突部２５とから成る。
【０００３】
【発明が解決しようとする課題】
この図５に示した拘束片構造によると、係止突部２５を収納ケース２１の内部壁面２２の中程に断面逆Ｌ字状に形成するので、収納ケース２１を成形する金型の形状が複雑となり、また、係止突部２５が内部壁面２２の中程に設けられるので、収納ケース２１の内部容積を小さくしてしまうことになる。
本発明の目的は、構造を簡素化して製造コストを抑え、またケース容積を特段小さくすることのない収納ケースの拘束片構造を提供することにある。
【０００４】
【課題を解決するための手段】
この目的を達成するため、本発明の収納ケースの拘束片構造は次のように構成されている。
（１）請求項１の発明は、合成樹脂製の収納ケースの内部壁面にヒンジ部を介して収納ケースと一体に設けられた板状の拘束片と、収納ケースに突出して設けられ、壁面に向けて伏せた拘束片を係止する係止突部とから成る収納ケースの拘束片構造において、
係止突部が収納ケースの周壁の内面に一体に突設された突部からなっており、
突部の上部側端または伏せる際にこれと衝合する拘束片の上部側端の少なくともいずれか一方に、下方に向かい対向する拘束片または突部側へ漸次接近するよう傾斜または湾曲するガイド面を設け、
ガイド部の下部には、突部を乗り越えた拘束片を下向きに拘束する係合用の凹部が形成されてなる。
この拘束片構造では、拘束片を伏せると、係合突部のガイド面に沿ってスムーズに案内されてから、凹部に係止される。
（２）請求項２の拘束片構造は、係止突部が、収納ケースの蓋体周壁の内面に設けられている補強用のリブの上部にガイド面を形成し、下端部に切欠き状の凹部を設けてなる。
収納ケースの補強用のリブは、従来よりもともと設けられていた。本発明の拘束片構造は、この既存の補強用のリブを、拘束片係止用の係合突部として利用したものである。
（３）請求項３の拘束片構造は、拘束片が収納ケースの開閉用のヒンジ部に接して基端を連設しており、上部側端が蓋体の周壁にほぼ接する位置まで延びており、他の部分の周壁側の端部は周壁から離反するように設定されてなる
したがって、拘束片を伏せるときに、拘束片と周壁との摩擦を最小限に抑えることができ、周壁にぴったりついてしまうことがなくなる。
【０００５】
【発明の実施の形態】
以下に、本発明の実施の形態を図１〜図４に基づいて説明する。
図１に本発明の収納ケースの拘束片構造の一実施例が示されている。この収納ケース１は、ケース本体２と、このケース本体２と第１のヒンジ部３を介して設けられた背蓋部４と、この背蓋部４と第２のヒンジ部５を介して設けられた蓋体６と、この蓋体６の周壁７の内面に設けられた補強用のリブ兼用の一対の係止突部８と、蓋体６の内部壁面９に設けられた拘束片１０とから概略が構成されている。
【０００６】
ここで、収納ケース１は、合成樹脂から成形されている。また、周壁７は、蓋体６の内側に背蓋部４側を開口してコの字状に立って設けられている。一方、ケース本体２にも、周壁１１が設けられている。蓋体６をケース本体２に重ねると、蓋体６の周壁７がケース本体２の周壁１１の外面に嵌合して三方を覆い、背蓋部４が残る一方を覆うように立っている。
また、蓋体６の周壁７の内面に複数本の補強用のリブ８Ａが周壁７と一体に成形されている。
【０００７】
図示例の係止突部８は、図１および図２に示すように、補強用のリブを利用してなる。補強用のリブ８Ａ自体は、従来より設けられていたものである（図５の従来例を参照）。本実施例は、この既存の補強用のリブを、拘束片係止用の係合突部８として利用したものである。
係止突起８は、図２に示すように、上部側端に、下方に向かい対向する拘束片へ漸次接近するように傾斜して形成されガイド面１３が形成されている。このガイド面１３は、拘束片１０を伏せる時に、拘束片１０をスムーズに案内するために形成されている。ガイド面１３の傾斜は、この例のように曲線的に丸みをつけて形成してもよく、あるいは直線的に形成してもよい。
【０００８】
係止突部８は、ガイド面１３の下部に切欠き状の係合用の凹部１２が形成されている。この凹部１２は、突部を乗り越えた拘束片１０を下向きに拘束するためのものである。
前述した凹部１２とガイド面１３とは、収納ケース１を型により成形する時に形成してもよく、あるいは成形後のリブ８Ａから除去加工して形成するようにしてもよい。
【０００９】
また、収納ケース１の開閉用の第１・第２のヒンジ部３，５は、断面Ｖ字状の溝として形成されている。
この例の拘束片１０は、収納ケース１の成形時に収納ケース１と一体に形成される。すなわち、拘束片１０は、図３に示すように、第２のヒンジ部５に接して基端を連接される。符号１４は、ヒンジ部を示しており、伏せたり、立てたりする時の支点となる。
【００１０】
この例の拘束片１０は、全体的にＬ字状に形成されている。すなわち、上端側端が蓋体６の周壁７にほぼ接する位置ま延びており、他の部分の周壁７側の端部が周壁７から離反するように設定されている。本明細書では、この上端側面端を被係止部１５と称するものとする。この被係止部１５が凹部１２に係合される。
このように上端側端以外の他の部分が周壁７から離反されている理由は、拘束片１０が周壁７にぴったり付いて曲げにくくなることを防止するためである。
図１の符号１６は、拘束片１０により保持される説明書やメモ用紙やカードなどの書類等を示している。
【００１１】
以上のように構成された拘束片構造によると、次のように拘束片が係止突出部に係止される。
拘束片１０を伏せて係合突部８の下端の凹部１２に係止する。このとき、拘束片１０は、係止突部８の傾斜したガイド面１３に沿って摺動されスムーズに案内される。また、拘束片１０は、上端側端以外の他の部分が周壁７から離反されているので、周壁１１との摩擦を最小限に抑えてることができる。したがって、拘束片１０を伏せて係止させる動作をスムーズに行うことができる。
【００１２】
この係止された拘束片１０と内部壁面９との間に、説明書やメモ用紙やカードなどの書類等１６が保持される。書類等１６を内部壁面９に置いてから拘束片１０を伏せて係止してもよく、あるいは拘束片１０を伏せて係止してから書類等１６を挟み込むようにしてもよい。
なお、本発明は、上述した例に限定されるものではなく、種々の変形例が実施可能である。
【００１３】
例えば、拘束片における内部壁面に対向する面に突出部を形成して、拘束片と内部壁面との間に書類保持用の間隙を形成するようにしてもよい。
また、この例では、拘束片および係止突出部は、左右一対（二組）設けられているが、これに限らず、例えば一組又は三組以上と適宜数設けてもよい。
また、上述の実施例では収納ケースの側壁の補強リブを兼用した係止突出部８を示したが、これに限らず、補強リブと別体に形成してもよく、図４に示すように、係止突部８の幅寸法を大きく形成し、一層堅固なものとしてもよい。
また、上述した実施例では、ガイド面１３を係止突部８側に形成したが、これに限らず、伏せる際に係止突部８に衝合する上部側端に形成してもよい。
【００１４】
【発明の効果】
以上説明した本発明の収納ケースの拘束片構造によると、次のような効果を奏する。
（１）請求項１の発明は、係止突部が収納ケースの周壁の内面に一体に突設された突部からなっており、また突部の上部側端または伏せる際にこれと衝合する拘束片の上部側端の少なくともいずれか一方に、下方に向かい対向する拘束片または突部側へ漸次接近するよう傾斜または湾曲するガイド面を設け、ガイド部の下部には、突部を乗り越えた拘束片を下向きに拘束する係合用の凹部が形成されてなる。
したがって、壁面に係止突出部を設けた従来例に比べて、収納ケース成形用の金型を簡素化でき、もって製造コストを抑えることができる。また、係止突出部がケース容積を特段小さくすることがない。
（２）請求項２の拘束片構造は、係止突部が、収納ケースの蓋体周壁の内面に設けられている補強用のリブの上部にガイド面を形成し、下端部に切欠き状の凹部を設けてなる。
すなわち、既存の補強用のリブを係合突部として利用するため、金型の修正も極力少なくでき、一層製造コストを低減できる。
（３）請求項３の拘束片構造は、拘束片が収納ケースの開閉用のヒンジ部に接して基端を連設しており、上部側端が蓋体の周壁にほぼ接する位置まで延びており、他の部分の周壁側の端部は周壁から離反するように設定されてなる。
したがって、拘束片を伏せるときの周壁との摩擦を最小限に抑えることができ、拘束片の動作をスムーズにすることができる。
【図面の簡単な説明】
【図１】本発明の拘束片構造を備えた収納ケースの斜視図である。
【図２】図１の収納ケースの拘束片構造を示す要部拡大図である。
【図３】図１の拘束片構造の拘束片の基端部分を示す拡大断面図である。
【図４】本発明の拘束片構造の係止突出部の他の例を示す斜視図である。
【図５】従来の拘束片構造を備えた収納ケースを示す斜視図である。
【符号の説明】
１    収納ケース
２    ケース本体
５  収納ケース開閉用のヒンジ部
６    蓋体
７    周壁
８    係止突部
８Ａ  リブ
９    内部壁面
１０  拘束片
１２  凹部
１３  ガイド面
１４  拘束片のヒンジ部
【図１】
0003607381.tif 000002
【図２】
0003607381.tif 000003
【図３】
0003607381.tif 000004
【図４】
0003607381.tif 000005
【図５】
0003607381.tif 000006